(57)【要約】【課題】２枚のプレートによってゴムチューブを挟持したことによるパレットに比し、更に外部からの吸収を速やかに吸収することを可能とするパレットの構成を提供する。【解決手段】ベースプレート１１と、アッパープレート１２とを押圧機能を有しているバインダーフレーム３によって相互に略平行となるような状態にて連結し、ベースプレート１１とアッパープレート１２との間に複数個の伸縮自在な球状ボール２を挟持していることに基づき、課題を達成することを可能とし、更には振動制限枠を設けること、又はバインダーフレーム３の弾性係数を全球状ボール２による弾性係数よりも桁違いに大きく設定することによって、振動の継続を防止することも可能であるパレット。【選択図】図４
2008308233.tif 000002
【特許請求の範囲】
【請求項１】
ベースプレートと、アッパープレートとを押圧機能を有しているバインダーフレームによって相互に略平行となるような状態にて連結し、前記ベースプレートとアッパープレートとの間に複数個の伸縮自在な球状ボールを挟持していることに基づくパレット。
【請求項２】
ベースプレート及びアッパープレートの一方又は双方に球状ボールの一部が嵌入する凹部を設けたことを特徴とする請求項１記載のパレット。
【請求項３】
伸縮自在な球状ボールが内部に空気を充填したことによる構成であることを特徴とする請求項１記載のパレット。
【請求項４】
伸縮自在な球状ボールが、ゴム弾性を有する素材を採用した構成であることを特徴とする請求項１記載のパレット。
【請求項５】
アッパープレートの上側に衝突板を有している振動制限枠をベースプレート側に固着したことを特徴とする請求項１記載のパレット。
【請求項６】
バインダーフレームが有している弾性係数が球状ボール全体が発揮し得る弾性係数よりも桁違いに大きいことを特徴とする請求項１記載のパレット。
【発明の詳細な説明】
【技術分野】
【０００１】
本発明は、精密機械、生け花等の振動を防止又は減少した状態としたうえで搬送することが必要とされている物を載置するためのパレットに関するものである。
【背景技術】
【０００２】
精密機械、生け花等の搬送に際しては、可能な限り振動が生じないことが要求される場合がある。
【０００３】
このような必要性に対応して、出願人は、既に特許文献１記載のように、ベースプレートとアッパープレートとの間にゴムチューブを挟持させた構成によるパレットを提唱したことがある。
【０００４】
前記構成では、ベースプレートとアッパープレートとの間に生ずる振動をゴムチューブの上下方向の弾性（クッション性）によって吸収することを基本原理としている。
【０００５】
しかしながら、上下方向の振動を吸収するためには、ゴムチューブが円輪形状の半径方向に伸縮することを不可欠とするが、そのような伸縮に基づく前記振動の吸収の程度は、決して十分ではない。
【０００６】
その原因としては、ゴムチューブとベースプレート及びアッパープレートとが、略円形の接触領域を形成するため、双方のプレートを局所的に圧縮するような応力が生じにくいという点にある。
【０００７】
即ち、ゴムチューブを採用している従来のパレットは、振動の吸収に一定の機能を有するも、その程度は、必ずしも十分ではなかった。
【特許文献１】実用新案登録第３０８０４２５号公報
【発明の開示】
【発明が解決しようとする課題】
【０００８】
本発明は、２枚のプレートによってゴムチューブを挟持したことによるパレットに比し、更に外部からの吸収を速やかに吸収することを可能とするパレットの構成を提供することを課題としている。
【課題を解決するための手段】
【０００９】
前記課題を解決するため、本発明の基本構成は、ベースプレートと、アッパープレートとを押圧機能を有しているバインダーフレームによって相互に略平行となるような状態にて連結し、前記ベースプレートとアッパープレートとの間に複数個の伸縮自在な球状ボールを挟持していることに基づくパレットからなる。
【発明の効果】
【００１０】
前記基本構成に基づき、本発明においては、前記のようにゴムチューブを挟持したことによる従来技術に比し、外部の振動に対する吸収を格段に改良することが可能となる。
【００１１】
但し、良好な振動の吸収性は、逆に、振動が継続する可能性を意味しているが、後述する実施例に示すように、振動制限枠を設けること、又はバインダーフレームの弾性係数を全球状ボールによる弾性係数よりも桁違いに大きく設定することによって、振動の継続を防止することが可能となる。
【発明を実施するための最良の形態】
【００１２】
図３は、単一の球状ボール２をベースプレート１１及びアッパープレート１２によって挟持した状態を示すが、双方のプレートが球状ボール２と当接する面積は、上側及び下側の頂点及びその近傍という狭小な領域であって、ゴムチューブの場合のような略円形の領域よりも明らかに接触面積は小さく、単位面積当りに加わる押圧力は明らかに大きいという状態にある。
【００１３】
このため、外部からの応力がベースプレート１１及びアッパープレート１２の何れか一方又は双方を介して加えられた場合、前記接触領域は極めて変形し易い状態となる。
【００１４】
即ち、図３の点線に示すように、球状ボール２は上下方向及び前後左右方向において大きな振動幅を以って振動することになり、ひいては、ゴムチューブの場合よりも良好な振動吸収性を発揮することができる。
【００１５】
本発明においては、図４に示すように、バインダーフレーム３において、ベースプレート１１とアッパープレート１２とを双方の面が略平行となるような状態にて押圧しながら連結し、当該連結によって、双方のプレートの間に複数個の伸縮自在な球状ボール２を挟持している。
【００１６】
双方のプレートの面が略平行状態となるためには、前記のように挟持されている複数個の球状ボール２の径が同一であり、かつ複数個の球状ボール２を略均等に配列することによって実現することができる。
【００１７】
バインダーフレーム３の押圧を原因とする球状ボール２における圧縮の程度によって振動吸収機能、及び振動の持続性が左右されることになる。
【００１８】
即ち、圧縮の程度が大きいほど、振動吸収機能が低下する一方、振動の継続時間も短いのに対し、圧縮の程度が小さいほど、その逆の傾向を示す。
【００１９】
伸縮自在の球状ボール２は、通常、空気を充填することによって実現されているが、そのような構成に代えて、スポンジ等のゴム弾性を有する素材を採用することによっても実現可能である。
【００２０】
以下、実施例に従って説明する。
［実施例１］
【００２１】
実施例１は、図１に示すように、ベースプレート１１及びアッパープレート１２の一方又は双方に球状ボール２の一部が嵌入する凹部４を設けたことを特徴としている（図１は、ベースプレート１１に凹部４を設けた場合を示す。）
【００２２】
このような凹部４に球状ボール２を嵌合させることによって、外部からの衝撃を吸収しながら振動する際、球状ボール２がベースプレート１１とアッパープレート１２との間を移動することを防止し、安定した球状ボール２の挟持を実現することが可能となる。
［実施例２］
【００２３】
実施例２は、図２に示すように、アッパープレート１２の上側に衝突板５１を有している振動制限枠５をベースプレート１１側に固着したことを特徴としている。
【００２４】
このように、振動制限枠５を設けた場合には、大きな衝撃力に伴って球状ボール２と一体をなしてアッパープレート１２が上下方向に振動した場合に、振動幅が所定の限界を上回るような振動は、振動制限枠５によって制約され、このため急速に振動状態を減少させることができる。
【００２５】
即ち、大きな衝撃をパレットが吸収し、複数個の球状ボール２が上下方向に縮んだ状態となった後、所定幅を超えるような振幅を有する振動を行おうとしても、前記振動制限幅とアッパープレート１２とが衝突することによって、速やかに防止することが可能となる。
［実施例３］
【００２６】
実施例３は、バインダーフレーム３が有している弾性係数が球状ボール２全体が発揮し得る弾性係数よりも桁違いに大きいことを特徴としている。
【００２７】
バインダーフレーム３がベースプレート１１及びアッパープレート１２を押圧することによって、全球状ボール２がやや圧縮された状態にて支持されており、逆にバインダーフレーム３は、球状ボール２の圧縮に対する反発力によって、やや上下方向に引張力が作用していることに帰する。
【００２８】
外部からの衝撃によって、アッパープレート１２が上下方向に振動する場合には、バインダーフレーム３及び球状ボール２は、一体をなして上下方向に伸縮するが、全球状ボール２による上下方向の弾性係数に比し、バインダーフレーム３の弾性係数が桁違いに大きい場合には、実施例２の場合と同様に、大きな衝撃力によってアッパープレート１２が大きな振幅を伴って振動しようとしても、バインダーフレーム３が大きな弾性係数を有しているため、双方のプレートの上下幅を大きくするような振動を制約することができる。
【００２９】
このため、実施例３においても、実施例２の場合と同様に、大きな衝撃力が加えられたとしても、球状ボール２の上下方向の伸縮に伴う振動を速やかに減衰させ、かつ終了させることができる。
【産業上の利用可能性】
【００３０】
本発明は、精密機械、生け花等のように、振動を極力防止した状態にて搬送することを必要とする物の載置に好適に適用することが可能となり、パレット全体の分野において利用可能である。
【図面の簡単な説明】
【００３１】
【図１】実施例１の構成を示す側断面図である。
【図２】実施例２の構成を示す側断面図である。
【図３】本発明の基本原理を示す側断面図である。
【図４】本発明の全体構成を示す見取図である。
【符号の説明】
【００３２】
１１  ベースプレート
１２  アッパープレート
２  球状ボール
３  バインダーフレーム
４  凹部
５  振動制限枠
５１  衝突板
【図１】
2008308233.tif 000003
【図２】
2008308233.tif 000004
【図３】
2008308233.tif 000005
【図４】
2008308233.tif 000006